(57)【要約】【課題】浮屋根式油貯蔵タンクが全面火災になって、火勢でタンクの上部に強烈な上昇気流が生じても、また、強風の影響があっても、消火剤が容易に火源面に到着し、消火活動を行うことができる。【課題手段】  消火剤８２を予め所定の容器８１の中に封入して、パッケージ消火剤８として着火されている浮屋根式油貯蔵タンク１の可燃性液体の液面に投入する。パッケージ消火剤８は一定の重さがあるので、その重みは火の熱上昇気流または強風の影響を抗して火源面１０に到着することができる。また、前記容器８１は熱溶融性を有するものであり、前記消火剤８２は粉末タイプの消火物質を有するものであるため、火源面１０の熱で容器８１が溶解されて、続いて消火剤８２が火源面１０に散布されることができる。その結果、前記タンク１の火災を消火することができる。【選択図】  図１
2006101902.tif 000002
【特許請求の範囲】
【請求項１】
浮屋根式油貯蔵タンクの消火方法であって、
着火されているタンクの可燃性液体の液面に、消火剤を予め封入した容器からなるパッケージ消火剤を投入する消火方法。
【請求項２】
前記容器は、熱溶融性を有する特徴とする請求項1記載の消火方法。
【請求項３】
前記消火剤は、粉末タイプの消火物質を有する特徴とする請求項１記載の消火方法。
【請求項４】
前記パッケージ消火剤の比重は、油の比重より小さいものを特徴とする請求項１から３までの何れか記載の消火方法。
【発明の詳細な説明】
【技術分野】
【０００１】
本発明は、浮屋根式油貯蔵タンクが火災発生する際、投入された消火剤が火の熱気流や風の威力を抗して容易に火源面に到着し、消火できる方法に関する内容である。
【背景技術】
【０００２】
図６に示すように、浮屋根式油貯蔵タンク１は、タンクの側板１１と浮屋根２の外周２１との間にいわゆるリング火災ＲＨが発生する際、自動消火設備５は該リングに例えば泡消火剤５０を投入して消火を行う。通常は浮屋根２が丈夫で簡単に沈まないように設置されているが、例えば大地震が発生し、浮屋根２のバランスが崩れて点線の如く油面９の下に沈下してしまい、このときにはタンク１が図示しない全面火災となってしまう。そして、前記自動消火設備５は前記リング火災ＲＨにしか対応できず、消火能力が不足で消火は不可となる。このとき、消防自動車を出動し大量の消火剤、例えば泡や化学粉末消火剤をタンクに向けて散布して、消火を図る（例えば、特許文献１）。
【特許文献１】特表２００１−５００３９７号公報
【発明の開示】
【発明が解決しようとする課題】
【０００３】
ところで、前記特許文献１に開示された従来の消火方法は、タンクが全面火災となると、火勢でタンクの上部に強烈な熱上昇気流が生じ、軽い物質の泡や化学粉末消火剤を投入しても弾き返されてしまうことが多いので、消火は極めて難しい。また、浮屋根式油貯蔵タンクは臨海地区の石油コンビナートに設置されていることが多いため、強い海風の影響で消火剤がなかなか火源面に到着することができず、消火活動は一層困難となってしまう。
【課題を解決するための手段】
【０００４】
本発明は、上記の問題点をかがみ、消火剤を有効的に火源面に到着されるためには、消火剤の重量を増やせばよいことに気づいた。ただし、消火剤は重くしすぎると油面の下に沈下してしまい、消火作用ができなくなる虞があるので、消火剤は油より軽いとする必要がある。このバランスを取れた消火剤を浮屋根式油貯蔵タンクの火源面に投入すれば、火災を消すことができる。
【０００５】
そこで、この発明は、消火剤を予め所定の容器の中に封入して、パッケージ消火剤として、着火されている浮屋根式油貯蔵タンクの可燃性液体の液面に投入することを特徴とする。
【０００６】
また、前記容器は、熱溶融性を有するものであることを特徴とする。
【０００７】
また、前記消火剤は、粉末タイプの消火物質であることを特徴とする。
【０００８】
また、前記パッケージ消火剤は、その比重が油の比重より小さいものであることを特徴とする。
【発明の効果】
【０００９】
本発明の第１発明によれば、消火剤を予め所定の容器の中に封入しパッケージ消火剤として、着火されている浮屋根式油貯蔵タンクの可燃性液体の液面に投入する。前記パッケージ消火剤は容器の重さと消火剤の重さを有するため、その重みで火災の熱上昇気流及び強風の影響を抗して火源面に到着することができる。
【００１０】
本発明の第２発明によれば、前記容器は熱溶融性を有し、例えばポリエチレン（溶融点：１２５〜１３５℃）、ポリプロピレン（溶融点：１６５〜１７３℃）等のプラスチック系の材料で作られたもので、火源面に到着すると、該容器が熱の高温で溶かされ、中に封入した消火剤が放出され、火源面に散布されることができる。
【００１１】
本発明の第３発明によれば、前記消火剤は粉末タイプの消火物質で、例えば炭酸水素ナトリウム、炭酸水素カリウム、リン酸アンモニウム等を主成分とする化学粉末消火剤を使用するため、火源面にこれらの化学粉末消火剤を覆蓋すれば、消火剤が分解し不燃性ガスを発生し、その窒息作用によって容易に消火することができる。
【００１２】
本発明の第４発明によれば、前記パッケージ消火剤の容器が溶かされる前に油面に到着しても、油の下に沈むことがなく、油面の上に漂着することができ、そして火源の高温で溶かされて消火する。
【発明を実施するための最良の形態】
【００１３】
この発明を利用する設備とその消火方法は図１から図５までで示され、説明のため図６は参考図として使用する。以下にその実施例を簡単に説明する。
【００１４】
図６に示すように、浮屋根式油貯蔵タンク１は、油面９の上に浮いている浮屋根２と、タンク１の側板１１と浮屋根の外周２１との間に充填されたシール材３と、雨水防止用ウェザーシールド４とを有している。通常の場合、自動泡消火設備５が設置され、前記リング火災ＲＨが発生するときにこの自動泡消火設備５から泡消火剤５０を放出し、消火活動を行う。
【００１５】
ところで、大地震など大きな振動が発生する際、浮屋根２が激しく揺れて浮屋根そのものが破損して、浮屋根２が油面９の下に沈んでしまったことがある。そのとき、引火点が高い油が直接空気と接しているので、何らかの原因で油面は着火され、全面火災ＡＨとなってしまう（図１）。
【００１６】
そこで、図１に示すように、全面火災ＡＨになったタンク１の上に、消火剤が封入されたパッケージ消火剤８を図示しない放射砲またはヘリコプター等放射装置によって大量に投入すれば、パッケージ消火剤８は容器８１の重さおよび消火剤８２の重さを有しているので、その重みで火勢の熱上昇気流または強風の影響を抗して全面火災ＡＨの火源面１０に到着することができる。続いて火源面１０の熱で熱溶融性がある容器８１が溶かされて、中の粉末消火剤８２が火源面１０に散布することができ、消火することができる（図２）。
【００１７】
ここで、図３に示すように、パッケージ消火剤８は容器８１と、消火剤８２と、充填ガス８３とで構成している。なお、空気を充填ガス８３として使用してもよいが、消火効果を考えると空気の代わりに窒素ガス等の不活性ガスを封入することが好ましい。
【００１８】
また、このような充填ガス８３を使用するもう一つの目的は、パッケージ消火剤８の全体の比重を油の比重より小さくすることにある。パッケージ消火剤８を貯蔵タンク１の火源面１０に投下する際、たとえ容器８１は火源の熱で一時的に溶かされなくても、パッケージ消火剤８は充填ガスの浮力で油面の下に沈むことがなく、油面９の上に漂着して油と空気の接触面積（揮発面）を減らせ、その後火源の熱で容器８１が溶かされ、中の消火剤８２が油面９に散布して消火することができる。
【００１９】
また、容器８１の外形はボールのような形だけではなく、例えば図４に示したような円筒の形でもよい。
【００２０】
また、全面火災ＡＨの火勢は非常に強く、各々のパッケージ消火剤８を投入しても弾き返されてなかなか火源面１０に到着することは難しい場合、図５に示すように、一定数量のパッケージ消火剤８をさらにネット１００で纏めて投入すれば、パッケージ消火剤８の重み効果がさらに大きくなり、容易に火源面１０に到着することができる。
【００２１】
さらに、このパッケージ消火剤８を使用して浮屋根式油貯蔵タンク１の火災を消火するとき、大きな炎がなくなれば、その残り火を消すのに、該貯蔵タンクに設置されている自動消火設備５を利用し、例えば泡をパッケージ消火剤８の上に被せることで、消火効果が一層向上することができる。
【００２２】
この実施形態１における浮屋根式油貯蔵タンクの消火方法は、消火剤８２を予め所定の容器８１の中に封入して、パッケージ消火剤８として着火されている浮屋根式油貯蔵タンク１の可燃性液体の液面に投入する。パッケージ消火剤８は一定の重さがあるので、その重みは火の熱上昇気流または強風の影響を抗して火源面１０に到着することができる。また、容器８１は熱溶融性を有するものであり、消火剤８２は粉末タイプの消火物質を有するものであるため、火源面１０の熱で容器８１が溶解されて、続いて消火剤８２が火源面１０に散布されることができる。その結果、前記タンク１の火災を消火することができる。
【図面の簡単な説明】
【００２３】
【図１】本発明の実施例形態に係わる浮屋根式油貯蔵タンクの消火方法（消火中）
【図２】本発明の実施例形態に係わる浮屋根式油貯蔵タンクの消火方法（消火後）
【図３】本発明の実施形態に係わる消火容器の構造図
【図４】本発明の実施形態に係わる消火容器の構造図
【図５】本発明の実施形態に係わる消火容器の投下方法
【図６】従来設備とリング火災
【符号の説明】
【００２４】
１            浮屋根式油貯蔵タンク
１１          タンクの側板
２            浮屋根
２１          浮屋根の外周
３            シール材
４            ウェザーシールド
５            自動泡消火設備
８            パッケージ消火剤
８１          容器
８２          消火剤
８３          充填ガス
９            油面
１０          火源面
１００        ネット
ＲＨ          リンク火災
ＡＨ          全面火災
【図１】
2006101902.tif 000003
【図２】
2006101902.tif 000004
【図３】
2006101902.tif 000005
【図４】
2006101902.tif 000006
【図５】
2006101902.tif 000007
【図６】
2006101902.tif 000008